(57)【特許請求の範囲】
【請求項１】
懸架（１）と播種機大型フレーム（２６）を含む折り畳み可能式４畝８行大型落花生播種機であって、
平行四辺形の油圧式折り畳み延出フレーム（２）を含み、懸架（１）は平行四辺形の油圧式折り畳み延出フレーム（２）の前端に固定して設けられ、平行四辺形の油圧式折り畳み延出フレーム（２）の後方に播種機大型フレーム（２６）が設けられ、
平行四辺形の油圧式折り畳み延出フレーム（２）は支持メイン延出フレーム（４６）、中間接続延出フレーム（４４）、外延折り畳み延出フレーム（４２）及び平行横方向リンク（４８）を含み、支持メイン延出フレーム（４６）の左右両側に中間接続延出フレーム（４４）及び外延折り畳み延出フレーム（４２）が設けられ、当該外延折り畳み延出フレーム（４２）は前記中間接続延出フレーム（４４）の外側に設けられ、前記中間接続延出フレーム（４４）は、当該中間接続延出フレーム（４４）の一部から垂直方向へ延出する垂直延出フレームに連結された２本の平行している平行横方向リンク（４８）によって、支持メイン延出フレーム（４６）と接続され、平行横方向リンク（４８）と中間接続延出フレーム（４４）、支持メイン延出フレーム（４６）とはヒンジによって接続され、支持メイン延出フレーム（４６）、中間接続延出フレーム（４４）と平行横方向リンク（４８）は平行四辺形構造を形成し、外延折り畳み延出フレーム（４２）と中間接続延出フレーム（４４）の間に外延油圧シリンダ（４３）が接続され、当該外延油圧シリンダ（４３）の作用によって、前記外延折り畳み延出フレーム（４２）を前記中間接続延出フレーム（４４）に対して外側へ延出させることができ、支持メイン延出フレーム（４６）と平行横方向リンク（４８）の間に折り畳み油圧シリンダ（４７）が接続され、当該油圧シリンダ（４７）の作用によって、前記平行横方向リンク（４８）を前記支持メイン延出フレーム（４６）に対して上方へ向けて斜めに持ち上げることができ、播種機大型フレーム（２６）は、中間播種機フレーム（３６）と側縁播種機フレーム（３３）を含み、中間播種機フレーム（３６）は、２つの側縁播種機フレーム（３３）の間に位置し、２つの側縁播種機フレーム（３３）は、それぞれ幅広の地面対応機構（２９）によって外延折り畳み延出フレーム（４２）に接続され、播種機大型フレーム（２６）には、前から後まで順に溝切り鋤（２８）、肥施装置（５）、播種装置（８）、点滴灌漑の帯体敷設部（１１）、施薬装置、フィルム敷設装置（１３）及びフィルム覆土部（１４）が設けられ、播種機大型フレーム（２６）の中間底部に接地輪駆動装置（２３）が取り付けられることを特徴とする折り畳み可能式４畝８行大型落花生播種機。
【請求項２】
前記支持メイン延出フレーム（４６）の両端と中間接続延出フレーム（４４）との接続箇所にそれぞれ案内溝（４５）が固定されることを特徴とする請求項１に記載の折り畳み可能式４畝８行大型落花生播種機。
【請求項３】
前記幅広の地面対応機構（２９）は、２対の前後対向する前側対応固定ブロック（４９−１）と後側対応固定ブロック（４９−２）を含み、前側対応固定ブロック（４９−１）は、外延折り畳み延出フレーム（４２）に固定接続され、後側対応固定ブロック（４９−２）は側縁播種機フレーム（３３）に固定接続され、２つの前側対応固定ブロック（４９−１）の間、及び２つの後側対応固定ブロック（４９−２）の間には筒体（５０）によって接続され、各対の前側対応固定ブロック（４９−１）と後側対応固定ブロック（４９−２）の間には複数の平行鉄板（５４）によって接続され、平行鉄板（５４）の前後両端はそれぞれ前側対応固定ブロック（４９−１）、後側対応固定ブロック（４９−２）にヒンジによって接続され、さらに前側対応固定ブロックの下端と後側対応固定ブロックの上端の間には引きばね（５２）が接続され、左右両側に対応する平行鉄板（５４）の間には筒体（５０）によって固定接続されることを特徴とする請求項１に記載の折り畳み可能式４畝８行大型落花生播種機。
【請求項４】
前記幅広の地面対応機構（２９）の前後両端にＵ型ボルト（５３）が設けられ、幅広の地面対応機構（２９）はＵ型ボルト（５３）によってそれぞれ平行四辺形の油圧式折り畳み延出フレーム（２）と側縁播種機フレーム（３３）に接続されることを特徴とする請求項３に記載の折り畳み可能式４畝８行大型落花生播種機。
【請求項５】
前記肥施装置（５）は、播種大型フレームの前上方に設置される肥料箱（６）、及び肥料箱（６）下方に設置される外溝輪式肥料排出部（４１）、肥料排出伝達軸（４０）、靴式肥施溝堀部（２７）を含み、外溝輪式肥料排出部（４１）は、チェーン伝達によって接地輪駆動装置（２３）に接続されることを特徴とする請求項１に記載の折り畳み可能式４畝８行大型落花生播種機。
【請求項６】
前記播種装置（８）は、播種機大型フレーム（２６）の中間部の上方に設置される播種タンク（７）及び播種タンク（７）の下方に設置される内充填式播種排出部（９）、播種排出伝達軸（２４）、栽植距離調節部（１０）、ダブル円盤式播種溝堀部（２５）、覆土カバー（２２）を含み、各播種タンクの底部に２つの内充填式播種排出部（９）が取り付けられ、内充填式播種排出部（９）は、チェーン伝達によって接地輪駆動装置（２３）に接続され、栽植距離調節部（１０）は、接地輪駆動スプロケットと播種排出軸スプロケットの間に設置されることを特徴とする請求項１に記載の折り畳み可能式４畝８行大型落花生播種機。
【請求項７】
前記点滴灌漑の帯体敷設部（１１）は、播種機大型フレーム（２６）の中間部の後方に設置され、点滴灌漑の帯体敷設部（１１）は、点滴灌漑の帯体ホイール（１２）、点滴灌漑の帯体ホルダー（２１）及び敷設校正ホイール（１９）を含み、点滴灌漑の帯体は点滴灌漑の帯体ホイール（１２）に巻き付けられ、点滴管テープホイール（１２）は点滴灌漑の帯体ホルダー（２１）の上端に設置され、点滴灌漑の帯体ホルダー（２１）の下端は播種機大型フレーム（２６）に接続され、敷設校正ホイール（１９）の頂端は播種機大型フレーム（２６）に固定されることを特徴とする請求項１に記載の折り畳み可能式４畝８行大型落花生播種機。
【請求項８】
前記施薬装置は播種機大型フレーム（２６）の中間部の後方に設置され、施薬装置は、薬バケツ（３）、電動増圧ポンプ（４）、給薬管（３２）及び施薬棒（３８）を含み、薬筒（３）は、幅広の地面対応機構（２９）の上方に設置され、薬筒ホルダー（３０）によって支持メイン延出フレーム（４６）に固定されることを特徴とする請求項１に記載の折り畳み可能式４畝８行大型落花生播種機。
【請求項９】
前記フィルム敷設装置は、播種機大型フレーム（２６）の末端に設置され、フィルム敷設装置は、フィルム敷設溝堀シャベル、フィルム取付部（１８）、フィルム押し輪（１７）、フィルム引張ロール（１６）及び畝立て部（１５）を含み、フィルム押し輪（１７）は、播種機大型フレーム（２６）の末尾部に固定され、フィルム引張ロール（１６）は播種機大型フレーム（２６）の後方に設置され、畝立て部（１５）はフィルム引張ロール（１６）の後方に設置されることを特徴とする請求項１に記載の折り畳み可能式４畝８行大型落花生播種機。
【請求項１０】
前記フィルム覆土部（１４）は、播種機大型フレーム（２６）の後方に設置され、フィルム覆土部（１４）は、螺旋覆土ローラー（３４）を含み、螺旋覆土ローラー（３４）は、各行の点滴灌漑の帯体に対向する位置に土漏れ開口（３９）が開設されることを特徴とする請求項１に記載の折り畳み可能式４畝８行大型落花生播種機。
【発明の詳細な説明】
【技術分野】
【０００１】
本発明は、農業機械装置技術分野に関し、特に落花生の種まきをする農業用機械に関し、具体的に折り畳み可能式４畝（うね）８行大型落花生播種機である。
【背景技術】
【０００２】
落花生は中国の主要な経済作物でもあり、最も重要な油原料作物の１つでもある。近年、社会発展のニーズに伴い、落花生の全国作付面積も拡大していく。しかしながら、現在、国内市場で開発、研究、製造が行われた落花生播種機は、１ないし２畝立ての小型機械設備をメインとする。落花生の種まきという農作業要求を満足するが、我が国の東北地域、黄淮流域、西北地域等、大中規模土地の落花生重要栽培エリアにおいて機械化播種の需要を満足させることができない。それに、海外の発展経験によると、大型作業機が主流になっており、落花生の大型機械化播種作業の推進も差し迫っている。また、落花生の播種工程は複雑で、畝立て、肥施、播種、鎮圧、施薬、点滴灌漑の帯体敷設、フィルム引張、フィルム押し、フィルム敷設、フィルム上覆土等の複数の工程を含み、落花生の播種適正期も短く、人工や小型機械設備による階段式播種には、作業効率が低く、労働強度が大きく、生産コストが高いという顕著な問題が存在し、農業ピーク時期の作業に不利であり、播種効率に大きな影響を与える。落花生を栽培する畝の間隔は大きいことで、落花生用大型播種機械設備の研究・開発・試用において地面倣いと道路輸送が困難という技術上の問題があるため、市場投入が遅れている。
【発明の概要】
【発明が解決しようとする課題】
【０００３】
上記の不足から、本発明の目的としては、大面積土地で栽培に適用し、畝立て、肥施、播種、鎮圧、施薬、点滴灌漑の帯体敷設、フィルム引張、フィルム押し、フィルム敷設、フィルム上覆土等の複数の工程を一体化にすることができる、高効率作業且つ優れた地面倣いを図る、道路輸送中において中央部折り畳み可能な４畝８行落花生用大型播種機を提供することである。
【課題を解決するための手段】
【０００４】
本発明は、以下の技術的解決手段によって実現される。懸架と播種機大型フレームを含む折り畳み可能式４畝８行大型落花生播種機であって、さらに平行四辺形の油圧式折り畳み延出フレームを含み、懸架は平行四辺形の油圧式折り畳み延出フレームの前端に固設され、平行四辺形の油圧式折り畳み延出フレームの後方に播種機大型フレームが設けられる。
【０００５】
平行四辺形の油圧式折り畳み延出フレームは、支持メイン延出フレーム、中間接続延出フレーム、外延折り畳み延出フレーム及び平行横方向リンクを含み、そのうち、支持メイン延出フレームの左右両側に中間接続延出フレーム及び外延折り畳み延出フレームが設けられ、中間接続延出フレームは、２つの水平延出フレームと２つの垂直延出フレームによって固定接続され、支持メイン延出フレームの左右両端は円筒状であり、外延折り畳み延出フレームの内側端は中間接続延出フレームの水平延出フレームを貫通してそれぞれ支持メイン延出フレームの両端に挿入され、左右両側の中間接続延出フレームの垂直延出フレームと支持メイン延出フレームの間に２本の平行している平行横方向リンクが設けられ、平行横方向リンクと中間接続延出フレーム、支持メイン延出フレームとの間はヒンジによって接続され、支持メイン延出フレーム、中間接続延出フレームと平行横方向リンクは平行四辺形構造を形成し、外延折り畳み延出フレームと中間接続延出フレームの間に外延油圧シリンダが接続され、支持メイン延出フレームと平行横方向リンクの間に折り畳み油圧シリンダが接続される。
【０００６】
播種機大型フレームは、中間播種機フレームと側縁播種機フレームを含み、中間播種機フレームは、２つの側縁播種機フレームの間に位置し、２つの側縁播種機フレームは、それぞれ幅広の地面対応機構によって外延折り畳み延出フレームに接続され、播種機大型フレームには、前から後まで順に溝切り鋤、肥施装置、播種装置、点滴灌漑の帯体敷設部、施薬装置、フィルム敷設装置及びフィルム覆土部が設けられ、播種機大型フレームの中間底部に接地輪駆動装置が取り付けられる。
【発明の効果】
【０００７】
本発明では、前記支持メイン延出フレームの両端と中間接続延出フレームとの接続箇所にそれぞれ案内溝が固定される。それは、平行四辺形の油圧式折り畳み延出フレームが播種作業時に接続箇所の側方に屈曲することを避けると同時に、外延折り畳み延出フレームが外部へ拡張することと中間接続延出フレームが容易に上昇、折畳、復元し、機械設備の動作強度を効果的に高める。外延折り畳み延出フレームの外側にそれぞれ罫引きが取り付けられる。
【０００８】
前記幅広の地面対応機構は、２対の前後対向する前側対応固定ブロックと後側対応固定ブロックを含み、前側対応固定ブロックは、外延折り畳み延出フレームに固定接続され、後側対応固定ブロックは側縁播種機フレームに固定接続され、２つの前側対応固定ブロックの間、及び２つの後側対応固定ブロックの間には筒体によって接続され、各対の前側対応固定ブロックと後側対応固定ブロックの間には複数の平行鉄板によって接続され、平行鉄板の前後両端はそれぞれ前側対応固定ブロック、後側対応固定ブロックにヒンジピンシャフトによって接続され、さらに前側対応固定ブロックの下端と後側対応固定ブロックの上端の間には引きばね（引張バネ）が接続され、左右両側に対応する平行鉄板の間には筒体によって固定接続される。
【０００９】
前記幅広の地面対応機構の前後両端にはＵ型ボルトが設けられ、幅広の地面対応機構は、Ｕ型ボルトによってそれぞれ平行四辺形の油圧式折り畳み延出フレームと側縁播種機フレームに接続されるので、幅広の地面対応機構が左右に調節することができる。幅広の地面対応機構は、幅が５００ｍｍであるように設計されることで、効果的に幅広の地面対応機構の左右方向上の自由度を低減し、播種機大型フレームが地面の起伏によって上下に昇降する時の左右揺れを避け、より良い地面倣いの効果を果たし、播種の深さの一致性を確保する。
【００１０】
前記肥施装置は、播種大型フレームの前上方に設置される肥料箱、及び肥料箱下方に設置される外溝輪式肥料排出部、肥料排出伝達軸、靴式肥施溝堀部を含み、外溝輪式肥料排出部は、チェーン伝達によって接地輪駆動装置に接続される。肥料排出部は接地輪の駆動によって肥料タンクの肥料を定量で均一に排出し、且つ外溝輪式肥料排出部は、肥料排出量を調節することができる。
【００１１】
前記播種装置は、播種機大型フレームの中間部の上方に設置される播種タンク及び播種タンクの下方に設置される内充填式播種排出部、播種排出伝達軸、栽植距離調節部、ダブル円盤式播種溝堀部、覆土カバーを含み、各播種タンクの底部に２つの内充填式播種排出部が取り付けられ、内充填式播種排出部は、チェーン伝達によって接地輪駆動装置に接続され、栽植距離調節部は、接地輪駆動スプロケットと播種排出軸スプロケットの間に設置され、播種作業の栽植距離の調節を図る。
【００１２】
前記点滴灌漑の帯体敷設部は、播種機大型フレームの中間部の後方に設置され、点滴灌漑の帯体敷設部は、点滴灌漑の帯体ホイール、点滴灌漑の帯体ホルダー及び敷設校正ホイールを含み、点滴灌漑の帯体は点滴灌漑の帯体ホイールに巻き付けられ、点滴灌漑の帯体ホイールは点滴灌漑の帯体ホルダーの上端に設置され、点滴灌漑の帯体ホルダーの下端は播種機大型フレームに接続され、敷設校正ホイールの頂端は播種機大型フレームに固定される。
【００１３】
前記施薬装置は播種機大型フレームの中間部の後方に設置され、施薬装置は、薬バケツ、電動増圧ポンプ、給薬管及び施薬棒を含み、薬筒は、幅広の地面対応機構の上方に設置され、薬筒ホルダーによって支持メイン延出フレームに固定される。
【００１４】
前記フィルム敷設装置は、播種機大型フレームの末端に設置され、フィルム敷設装置は、フィルム敷設溝堀シャベル、フィルム取付部、フィルム押し輪、フィルム引張ロール及び畝立て部を含み、フィルム押し輪は、播種機大型フレームの末尾部に固定され、フィルム引張ロールは播種機大型フレームの後方に設置され、畝立て部はフィルム引張ロールの後方に設置される。
【００１５】
前記フィルム覆土部は、播種機大型フレームの後方に設置され、フィルム覆土部は、螺旋覆土ローラーを含み、螺旋覆土ローラーは、各行の点滴灌漑の帯体に対向する位置に土漏れ開口が開設される。
【００１６】
溝切り鋤、靴式肥施溝堀部、ダブル円盤式播種溝堀部はスクリューボルトによって押し付けて取り付けられ、高さを調節することができる。
【００１７】
本発明の好適な効果は、以下の通りである。本発明は、コンパクトで合理的、完備する機能を備え、多機能を一体化にし、４畝８行の落花生の栽培において畝立て、肥施、播種、鎮圧、施薬、点滴灌漑の帯体敷設、フィルム引張、フィルム押し、フィルム敷設、フィルム上覆土等の農業作業技術を一回で実現することができ、播種の深さが一致し、種への損傷が小さく、人工による苗の取り出しを省略し、輸送中において側縁播種機フレームの平行折り畳みを実現し、我が国東北地域、黄淮流域、西北地域等、大中規模土地の落花生重要栽培エリアにおいて栽培作業に適し、手作業を削減し、落花生栽培の複数回作業と広幅機械設備の輸送困難という問題を効果的に解決し、落花生の播種効率を大幅に高め、中国大型花生播種作業機の空白を埋めることができる。
【図面の簡単な説明】
【００１８】
【図１】図１は本発明の折り畳んでいない状態の正面図を示す。
【図２】図２は本発明の折り畳んでいない状態の上面図を示す。
【図３】図３は本発明の折り畳んでいない状態の立体図を示す。
【図４】図４は本発明の幅広の地面対応機構の立体図を示す。
【図５】図５は本発明の折り畳み中において外延折り畳み延出フレームが両側に伸びる時の正面図を示す。
【図６】図６は本発明の折り畳み中において両側の播種機フレームが折り畳んで上昇する時の正面図を示す。
【図７】図７は本発明の折り畳み完了正面図を示す。
【図８】図８は本発明の折り畳み完了立体図を示す。
【符号の説明】
【００１９】
１．懸架
２．平行四辺形油圧折り畳み
３．薬筒
４．電動増圧ポンプ
５．肥施装置
６．肥料タンク
７．播種タンク
８．播種装置
９．内充填式播種排出部
１０．栽植距離調節部
１１．点滴灌漑の帯体敷設部
１２．点滴灌漑の帯体ホイール
１３．フィルム敷設装置
１４．フィルム覆土部
１５．畝立て部
１６．フィルム引張ロール
１７．フィルム押し輪
１８．フィルム取付部
１９．敷設校正ホイール
２０．フィルム敷設溝堀シャベル
２１．点滴灌漑の帯体ホルダー
２２．覆土カバー
２３．接地輪駆動装置
２４．播種排出伝達軸
２５．ダブル円盤式播種溝堀部
２６．播種機大型フレーム
２７．靴式肥施溝堀部
２８．溝切り鋤
２９．広幅地面倣い装置
３０．薬筒ホルダー
３１．罫引き
３２．給薬管
３３．側縁播種機フレーム
３４．螺旋覆土ローラー
３５．肥料タンク蓋
３６．中間播種機フレーム
３７．播種タンク蓋
３８．施薬棒
３９．土漏れ開口
４０．肥料排出伝達軸
４１．外溝輪式肥料排出部
４２．外延折り畳み延出フレーム
４３．外延油圧シリンダ
４４．中間接続延出フレーム
４５．固定案内溝
４６．支持メイン延出フレーム
４７．折り畳み油圧シリンダ
４８．平行横方向リンク
４９−１．前側対応固定ブロック
４９−２．後側対応固定ブロック
５０．筒体
５１．締め付けボルト
５２．引きばね
５３．Ｕ型ボルト
５４．平行鉄板
５５．スクリュー
５６．ヒンジピンシャフト
【発明を実施するための形態】
【００２０】
以下、図面に従って本発明を詳細に説明する。
【００２１】
本発明は、折り畳み可能式４畝８行大型落花生播種機であり、フィルム（マルチングフィルム）敷設と落花生播種の作業が同時に行える広幅作業機である。図１に示すように、該同時作業機は、懸架１、平行四辺形の油圧式折り畳み延出フレーム２及び播種機大型フレーム２６を含み、懸架１は平行四辺形の油圧式折り畳み延出フレーム２の前端に固設され、三点サスペンション式を採用し、それによってトラクターとの接続が実現される。平行四辺形の油圧式折り畳み延出フレーム２の後方に播種機大型フレーム２６が設けられ、平行四辺形の油圧式折り畳み延出フレーム２と播種機大型フレーム２６の間は幅広の地面対応機構２９によって接続される。
【００２２】
前記平行四辺形の油圧式折り畳み延出フレーム２は、支持メイン延出フレーム４６、中間接続延出フレーム４４、外延折り畳み延出フレーム４２及び平行横杆４８を含み、そのうち、支持メイン延出フレーム４６の左右両側には中間接続延出フレーム４４及び外延折り畳み延出フレーム４２が設けられ、中間接続延出フレーム４４は２つの水平延出フレームと２つの垂直延出フレームによって固定接続される。支持メイン延出フレーム４６の左右両端は筒状であり、外延折り畳み延出フレーム４２の内側端は中間接続延出フレーム４４の水平延出フレームを貫通してそれぞれ支持メイン延出フレーム４６の両端に挿入される。左右両側にある中間接続延出フレーム４４の垂直延出フレームと支持メイン延出フレーム４６の間にはそれぞれ２本の平行する平行横方向リンク４８が設けられ、平行横方向リンク４８と中間接続延出フレーム４４、支持メイン延出フレーム４６との間はヒンジによって接続され、支持メイン延出フレーム４６、中間接続延出フレーム４４及び平行横方向リンク４８は平行四辺形構造を形成する。外延折り畳み延出フレーム４２と中間接続延出フレーム４４の２つの水平接続延出フレームとの間には外延油圧シリンダ４３が接続され、支持メイン延出フレーム４６と同一高さのある２つの平行横方向リンク４８との間には折り畳み油圧シリンダ４７が接続される。外延油圧シリンダ４３と折り畳み油圧シリンダ４７の制御弁はトラクターに設置することができる。支持メイン延出フレーム４６の両端と中間接続延出フレーム４４の接続箇所にそれぞれ案内溝４５が固定され、それは、平行四辺形の油圧式折り畳み延出フレーム２が播種作業時に接続箇所の側方に屈曲することを避けると同時に、外延折り畳み延出フレーム４２が外部へ拡張することと中間接続延出フレーム４４が容易に上昇、折畳、復元し、機械設備の動作強度を効果的に高める。外延折り畳み延出フレーム４２の外側にそれぞれ罫引き３１が取り付けられる。
【００２３】
前記播種機大型フレーム２６は、中間播種機フレーム３６及び側縁播種機フレーム３３を含み、中間播種機フレーム３６は２畝幅の形態に、側縁播種機フレーム３３は１畝幅の形態に設置され、中間播種機フレーム３６は２つの側縁播種機フレーム３３の間に位置し、２つの側縁播種機フレーム３３はそれぞれ幅広の地面対応機構２９によって外延折り畳み延出フレーム４２に接続される。前記播種機大型フレーム２６の最前端にある横ビームには畝ごとに左右対向式溝切り鋤２８が取り付けられる。
【００２４】
平行四辺形の油圧式折り畳み延出フレーム２の支持メイン延出フレーム４６、中間接続延出フレーム４４及び平行横方向リンク４８は平行四辺形構造を形成し、輸送中において２つの側縁播種機フレーム３３の平行折り畳みを実現することができる。折り畳み時には、まずトラクターのサスペンション装置が機械設備を地面から持ち上げ、外延油圧シリンダ４３の制御弁をコントロールし、外延折り畳み延出フレーム４２が油圧シリンダの作用下で両外側へ２５０ｍｍ伸びた後に、トラクターの折り畳み油圧シリンダ４７の制御弁をコントロールし、伸びシリンダは平行横方向リンク４８を、支持メイン延出フレーム４６と６１．５°の角度を呈する位置まで上に向けて折り畳んで固定し、その間に外延折り畳み延出フレーム４２の両側に固定されている側縁播種機フレーム３３は、平行横方向リンク４８と中間接続延出フレーム４４の作用下で平行に上昇し、中央に向けて折り畳みることを実現し、つぎに反対方向からトラクターの外延油圧シリンダ４３の制御弁をコントロールして外延折り畳み延出フレーム４２をもとの位置に引っ張り、それによって播種機の折り畳みを終えることで、広幅機械設備の輸送上の問題を効果的に解決する。
【００２５】
幅広の地面対応機構２９は、２対の前後対向式の前側対応固定ブロック４９−１と後側対応固定ブロック４９−２を含み、前側対応固定ブロック４９−１と外延折り畳み延出フレーム４２は固定接続され、後側対応固定ブロック４９−２と側縁播種機フレーム３３は固定接続され、２つの前側対応固定ブロック４９−１の間、及び２つの後側対応固定ブロック４９−２の間は筒体５０によって接続される。各対の前側対応固定ブロック４９−１と後側対応固定ブロック４９−２の間は複数の平行鉄板５４によって接続され、平行鉄板５４の前後両端はそれぞれヒンジピンシャフト５６によって前側対応固定ブロック４９−１、後側対応固定ブロック４９−２とヒンジ接続されると同時に、前側対応固定ブロックの下端と後側対応固定ブロックの上端の間には引きばね（引張バネ）５２が接続される。左右両側に対応する平行鉄板５４の間は筒体５０によって固定接続され、筒体５０の両端はスクリュー５５と締め付けボルト５１によって平行鉄板５４に固定接続される。前記幅広の地面対応機構２９の前後両端にはＵ型ボルト５３が設けられ、すなわち、幅広の地面対応機構２９は、Ｕ型ボルト５３によってそれぞれ平行四辺形の油圧式折り畳み延出フレーム２と側縁播種機フレーム３３に接続されるので、幅広の地面対応機構２９が左右に調節することができる。幅広の地面対応機構２９は、幅が５００ｍｍであるように設計されることで、効果的に幅広の地面対応機構２９の左右方向上の自由度を低減し、播種機大型フレーム２６が地面の起伏によって上下に昇降する時の左右揺れを避け、より良い地面倣いの効果を果たし、播種の深さの一致性を確保する。
【００２６】
播種機大型フレーム２６には前から後まで順に肥施装置５、播種装置８、点滴灌漑の帯体敷設部１１、施薬装置、フィルム（マルチングフィルム）敷設装置１３及びフィルム（マルチングフィルム）覆土部１４が設けられ、肥施装置５は溝切り鋤２８の後方に位置し、播種機大型フレーム２６の中央底部には接地輪駆動装置２３が取り付けられる。
【００２７】
前記肥施装置５は、播種大型フレームの前上方に設置される肥料箱６、及び肥料箱６下方に設置される外溝輪式肥料排出部４１、肥料排出伝達軸４０、靴式（長靴型の）肥施溝堀部２７を含む。靴式肥施溝堀部２７は、畝の頂部の中央に溝を開設し肥施を行い、前記外溝輪式肥料排出部４１は、チェーン伝達によって接地輪駆動装置２３に接続され、排肥器は接地輪２３の駆動下で肥料タンク６の肥料を定量で均一的に排出し、且つ外溝輪式肥料排出部４１は肥料排出量を調節することができる。
【００２８】
前記播種装置８は、播種機大型フレーム２６の中間部の上方に設置される播種タンク７、及び播種タンク７の下方に設置される内充填式播種排出部９、播種排出伝達軸２４、栽植距離調節部１０、ダブル円盤式播種溝堀部２５、覆土カバー２２を含む。内充填式播種排出部９はチェーン伝達によって接地輪駆動装置２３に接続される。接地輪駆動スプロケットと播種排出軸スプロケットとの間には栽植距離調節部１０が取り付けられ、播種作業時に栽植距離の調節を実現する。本発明は、４つの播種タンク７を装備する。播種タンクはそれぞれ中間播種機フレーム３６と側縁播種機フレーム３３に設置され、各播種タンクの底部に２つの内充填式播種排出部９が取り付けられ、播種排出部は接地輪駆動装置２３の駆動下で回転し、種を排出し、ダブル円盤式溝堀部２５によって開設された溝に落ちることで、播種を終える。
【００２９】
前記点滴灌漑の帯体敷設部１１と施薬装置は播種機大型フレーム２６の中間部の後方に設置される。点滴灌漑の帯体敷設部１１は、点滴灌漑の帯体ホイール１２、点滴灌漑の帯体ホルダー２１及び敷設校正ホイール１９を含み、点滴灌漑の帯体は点滴灌漑の帯体ホイール１２に巻き付けられ、点滴灌漑の帯体ホイール１２は点滴灌漑の帯体ホルダー２１の上端に設置され、点滴灌漑の帯体ホルダー２１の下端は播種機大型フレーム２６に接続される。敷設校正ホイール１９の頂端は播種機大型フレーム２６に固定される。敷設を行う時には、点滴灌漑の帯体は敷設校正ホイール１９の作用下で畝の頂部の中央に敷設される。施薬装置は、薬バケツ３、電動増圧ポンプ４、給薬管３２及び施薬棒３８を含み、薬筒３は、幅広の地面対応機構２９の上方に設置され、薬筒ホルダー３０によって支持メイン延出フレーム４６に固定される。電動増圧ポンプ４はトラクターの電動スイッチで制御され、電動増圧ポンプ４によって各サブ給薬管３２の圧力と流量が調整されることで、施薬の均一性と霧化効果を効果的に確保する。
【００３０】
前記フィルム敷設装置とフィルム覆土部１４は播種機大型フレーム２６の末端に設置される。フィルム敷設装置は、フィルム敷設溝堀シャベル、フィルム取付部１８、フィルム押し輪１７、フィルム引張ロール１６及び畝立て部１５を含み、フィルム押し輪１７は播種機大型フレーム２６の末尾部に固定され、フィルム引張ロール１６は播種機大型フレーム２６の後方に設置される。前記フィルム覆土部１４は、螺旋覆土ローラー３４を含み、螺旋覆土ローラー３４は、各行の点滴灌漑の帯体に対向する位置に土漏れ開口３９が開設される。作業時には、畝立て部１５は、畝の周囲の土壤を両側から螺旋覆土ローラー３４に送り、土壤は螺旋覆土ローラー３４の押し作用下で、土漏れ開口３９から播種テープの真上にあるフィルム表面に撒き、フィルム鎮圧の作用を果たすと同時に種が発芽した後にフィルムから容易に出ることができるため、後期の人工による苗の取り出しを省略し、栽培プロセスを圧縮し、時間と手間を省くことができる。
【００３１】
フィルム押し輪１６とフィルム引張ロール１７はフィルム敷設プロセスの横方向展開を実現するほか、引っ張り作用による縦方向のむらや敷設中の破断という問題を解消し、畝立て部１５の迅速的な畝立ての固定とフィルムの効果的な敷設を確保することができる。
【００３２】
平行四辺形の油圧式折り畳み延出フレーム２の動作特性としては、機械設備の折り畳みを効果的に終えると同時に、両側の播種ユニットの肥料タンク６と播種タンク７は常に水平位置に維持し、折り畳みを行う時に傾斜による原料の漏れを避ける。前記中間播種機フレーム３６の肥料タンク６と播種タンク７の開口部には肥料タンク蓋３５と播種タンク蓋３７が設けられ、折り畳み後に上方の両側の播種ユニットの底部にある入土装置が土塊を持ち込むことを防止し、タンク内の原料の清潔度を効果的に確保する。
【００３３】
溝切り鋤２８、靴式肥施溝堀部２７、ダブル円盤式播種溝堀部２５は、スクリューボルト押し付け式取付方法を採用し、高さを調節することができる。本発明の多くの箇所については容易に設置し、栽培技術の要求に応じて畝たての高さ、溝堀の深さ、畝の間隔、肥料排出量と栽植距離を調節する可能であるため、機械設備の適用性と肥施播種の精度を効果的に強化し、農業機械と農業技術の有効な融合を実現する。
【００３４】
作業を行う時には、まず播種技術の要求によって機械設備の調節可能機構の相対取付位置を設定し、所定のパラメータに到達する。つぎに、各畝の点滴灌漑の帯体とフィルムを引っ張り、播種対象地面に固定し、播種機がトラクターとともに前進し、溝切り鋤２８で畝を立てた後に肥料排出器４１が接地輪駆動装置２３の駆動下で肥料タンク６内の肥料を定量で均一的に排出して、靴式肥施溝堀部２７が畝の頂部の中央に溝を開設し肥施を行う。本発明は４畝８行式播種のように設計され、４つの播種タンク７を装備しており、各播種タンクの底部には２つの内充填式播種排出部９が取付られ、播種排出部９は同様に接地輪駆動装置２３の駆動下で回転し種を撒き、ダブル円盤式溝堀部２５によって開設される溝に落ち、播種を終える。播種終了後に種床の土壤が緩く、乾燥しやすくなるため、覆土カバー２２によって直ちに鎮圧する必要があり、その後に施薬棒３８が農薬を畝にスプレーし、点滴灌漑の帯体敷設校正ホイール１９が点滴灌漑の帯体を畝の頂部の中央に敷く。フィルムはフィルム引張ロール１７とフィルム押し輪１６の作用下で機械設備の走行につれて展開され、フィルム敷設溝堀シャベル２０と畝立て部１５がフィルムを畝に固定し、最後にフィルム覆土部１４が土壤を正確的に播種テープの真上にあるフィルム表面に撒き、全体の播種プロセスを終える。
【００３５】
播種が終了した後は、図５に示すように、まずトラクターのサスペンション装置が機械設備を地面から持ち上げ、伸び油圧シリンダ４３の制御弁をコントロールし、外延折り畳み延出フレーム４２が油圧シリンダ４３的作用下で両外側へ２５０ｍｍ伸びる。その後に、図６に示すように、折り畳み油圧シリンダ４７の制御弁をコントロールし、伸びシリンダは平行横方向リンク４８を、支持メイン延出フレーム４６と６１．５°の角度を呈する位置まで折り畳んで固定し、その間に外延折り畳み延出フレーム４２の両側に固定されている側縁播種機フレームは、平行横方向リンク４８と中間接続延出フレーム４４の作用下で平行に上昇し、中央に向けて折り畳みることを実現する。また、反対方向からトラクターの外延油圧シリンダ４３の制御弁をコントロールして外延折り畳み延出フレーム４２をもとの位置に引っ張り、図７に示すように、播種機の折り畳みを終えることで、播種機の輸送が容易になる。
【００３６】
以上の説明は、本発明の好適な実施例に過ぎず、本発明を限定するものではない。本分野の技術に関する様々な変更や辺かについては、本発明の精神と原則の範囲内であれば、如何なる修正、同等置換、改善などについても、すべて本発明の保護範囲内にある。
【図１】
0006518843.tif 000002
【図２】
0006518843.tif 000003
【図３】
0006518843.tif 000004
【図４】
0006518843.tif 000005
【図５】
0006518843.tif 000006